Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
ヒトＣ−Ｘ−Ｃケモカイン受容体タイプ４（ＣＸＣＲ４）と結合するポリペプチドであって、足場領域とそこに含まれる結合ループ領域とを含み、該足場領域が、配列番号１のアミノ酸１〜２６、３３〜７９及び８８〜９７によって定義される足場領域と少なくとも９０％の同一性を有する配列を含み、
第１の結合ループ領域が、式ＳＸ１ＳＸ２Ｘ３Ｒで表される配列を含み、式中、
Ｘ１は、Ｇ、Ｋ、ＬもしくはＹであり；
Ｘ２は、Ｄ、Ｈ、Ｇ、もしくはＮであり；及び
Ｘ３は、Ｉ、Ｖ、Ｍ、Ｆ、ＱもしくはＹであり；
または、その保存的アミノ酸置換である、および／または
第２の結合ループ領域が、式Ｙ’１ＲＹ’２ＧＹ’３ＹＲＨＲＹ’４ＬＹ’５ＬＧで表される配列を含み、式中、
Ｙ’１は、ＹもしくはＷであり；
Ｙ’２は、Ｔ、ＶもしくはＩであり；
Ｙ’３は、ＧもしくはＡであり；
Ｙ’４は、ＡもしくはＹであり；及び
Ｙ’５は、Ｖ、ＲまたはＫであり；
または、その保存的アミノ酸置換である、ポリペプチド。
【請求項２】
前記第１の結合ループ領域が、配列番号４１、配列番号４５、配列番号４９、配列番号５３、配列番号５７、配列番号６１、配列番号６５、配列番号６９、配列番号７３、または配列番号７７のいずれか１つに指定された配列を含むか、またはそれからなる、および／または
前記第２の結合ループ領域が、配列番号４２、配列番号４６、配列番号５０、配列番号５４、配列番号５８、配列番号６２、配列番号６６、配列番号７０、配列番号７４、または配列番号７８のいずれか１つに指定された配列を含むか、またはそれからなる、請求項１に記載のポリペプチド。
【請求項３】
（ｉ）配列番号４０、配列番号４４、配列番号４８、配列番号５２、配列番号５６、配列番号６０、配列番号６４、配列番号６８、配列番号７２、または配列番号７６からなる群から選択される配列に対して、少なくとも９０％同一である配列を含むか、または
（ｉｉ）配列番号４０、配列番号４４、配列番号４８、配列番号５２、配列番号５６、配列番号６０、配列番号６４、配列番号６８、配列番号７２、または配列番号７６のいずれか１つに指定された配列を含むか、またはそれからなる、請求項１または２に記載のポリペプチド。
【請求項４】
ヒトＣＸＣＲ４（配列番号１０５）のＣ２８、Ｅ３２、Ｖ１１２、Ｙ１８４、Ｆ１８９、Ｐ１９１、Ｄ１９３、Ｗ１９５、Ｄ２６２、Ｌ２６６、Ｅ２６８及びＥ２８８からなる群から選択されるＣＸＣＲ４の１つ以上の残基と結合する、請求項１に記載のポリペプチド。
【請求項５】
請求項１に記載のポリペプチドをコードする核酸分子を含む発現構築物。
【請求項６】
請求項１に記載のポリペプチドと、治療薬、毒素、検出可能標識、またはポリペプチドの半減期を延長する剤から選択される薬剤とを含むコンジュゲート。
【請求項７】
請求項１に記載のポリペプチドと、許容される担体とを含む、医薬組成物。
【請求項８】
ＣＸＣＲ４関連の疾患または障害の治療においてまたはその発現の可能性を減少させるために使用される、請求項１に記載のポリペプチドであって、前記疾患または障害が、癌、炎症性疾患、および線維症からなる群から選択される、ポリペプチド。
【請求項９】
ＣＸＣＲ４関連の疾患または障害の発現の可能性を減少させるまたは治療するための、請求項７に記載の医薬組成物であって、前記疾患または障害が、癌、炎症性疾患、および線維症からなる群から選択される、医薬組成物。
【請求項１０】
ＣＸＣＲ４関連の疾患または障害の場所を特定する、および／または検出する、および／または診断するための方法において使用するための、請求項７に記載の医薬組成物であって、前記方法が、ＣＸＣＲ４が存在する場合に該ＣＸＣＲ４に結合した請求項１に記載のポリペプチドをｉｎ  ｖｉｖｏで検出する工程を含み、前記ポリペプチドが検出可能なタグにコンジュゲートされている、医薬組成物。
【誤訳訂正書】
【提出日】平成31年2月8日(2019.2.8)
【誤訳訂正１】
【訂正対象書類名】特許請求の範囲
【訂正対象項目名】全文
【訂正方法】変更
【訂正の内容】
【特許請求の範囲】
【請求項１】
エアロゾル発生物品を受ける能力のある細長いエアロゾル発生装置であって、
前記エアロゾル発生物品を加熱するためのヒーターであって、前記ヒーターが前記細長いエアロゾル発生装置に対して長軸方向に延び、また前記エアロゾル発生物品の内側部分を貫通するように構成されているものと、
前記エアロゾル発生装置内に受けられたエアロゾル形成物品を抽出するための抽出装置であって、前記抽出装置が第一の位置と第二の位置の間で前記エアロゾル発生装置に移動できるように結合され、前記第一の位置が前記エアロゾル発生物品と接している前記ヒーターによって画定された動作位置であり、また前記第二の位置がエアロゾル発生物品と分離されている前記ヒーターによって画定される抽出位置であるものとを備え、
前記抽出装置が前記エアロゾル発生物品を受けるくぼみを備え、前記抽出装置が前記第二の位置と前記第一の位置との間を移動する時に前記ヒーターが前記くぼみを貫通できるように、第一の開口部が前記くぼみの端壁を貫いて画定され、
前記空気流チャネルの入口が前記第一の開口部の半径方向外向きに位置付けられており、前記抽出装置を貫く気流経路は、該気流経路の少なくとも一部分について前記ヒーターに向けた半径方向の空気の流れを伴い、
（ａ）前記空気流チャネルの前記入口が前記くぼみの側壁内に画定される、又は、      （ｂ）前記空気流チャネルの前記入口が前記端壁の半径方向に最も外側の部分内に画定される、又は、
（ｃ）前記空気流チャネルの少なくとも一部分が前記端壁内を半径方向に延びる、細長いエアロゾル発生装置。
【請求項２】
前記第一の開口部が前記ヒーターに対して０．５ｍｍ以下の隙間が許容される寸法である、請求項１に記載の細長いエアロゾル発生装置。
【請求項３】
前記エアロゾル発生物品が抽出された時、前記エアロゾル発生物品からの破片を前記抽出装置内に保持するように、前記第一の開口部および前記空気流チャネルが配置されている、請求項１〜２のいずれか１項に記載の細長いエアロゾル発生装置。
【請求項４】
前記エアロゾル発生物品からの破片が前記エアロゾル発生装置内に蓄積できないように、前記抽出装置が前記第一の位置にある時に、前記端壁の外側面が前記エアロゾル発生装置の一部分に隣接する、請求項１〜３のいずれか１項に記載の細長いエアロゾル発生装置。
【請求項５】
前記抽出装置を洗浄のために前記エアロゾル発生装置から取り外すことができる、請求項１〜４のいずれか１項に記載の細長いエアロゾル発生装置。
【請求項６】
第一の空気流チャネルおよび第二の空気流チャネルを備え、前記第一および第二の空気流チャネルへの入口が前記抽出装置の反対側に位置する、請求項１〜５のいずれか１項に記載の細長いエアロゾル発生装置。
【請求項７】
請求項１〜６のいずれか１項に記載の細長いエアロゾル発生装置と、エアロゾル発生物品とを備え、前記エアロゾル発生物品が、前記ヒーターによって加熱された時に吸入可能なエアロゾルを発生するエアロゾル形成基体を備える、エアロゾル発生システム。
【請求項８】
前記エアロゾル形成基体が均質化したたばこシートを備える、請求項７に記載のエアロゾル発生システム。
【誤訳訂正２】
【訂正対象書類名】明細書
【訂正対象項目名】０００８
【訂正方法】変更
【訂正の内容】
【０００８】
抽出装置を貫く気流経路は、気流経路の少なくとも一部分についてヒーターに向けた半径方向の空気の流れを伴うのが好ましい。第一の開口部を通して落ちる破片は、したがって気流経路を塞がない。破片は気流経路を内側で塞ぎうるが、抽出装置は、装置から取り外して、例えば水で洗うことにより、こうした任意の破片が簡単に除去できることが好ましい。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
外表面と、外表面の少なくとも一部分に共有結合されている、体組織または体液に接触するように適合させたヒドロゲル層とを含む医療デバイスであって、
ヒドロゲル層が、ポリエチレングリコール（ＰＥＧ）を含む第１の親水性ポリマー種と、ポリアクリルアミドを含む第２の親水性ポリマー種とを有する生体適合性ポリマー集団を含み、第１の親水性ポリマー種が、第２の親水性ポリマー種に少なくとも部分的に共有結合によって架橋されており、医療デバイスがコンタクトレンズでなく、第１の種が、反応性求電子性基または反応性求核性基を含み、第２の種が、第１の種に相補的な反応性求電子性基または反応性求核性基を含み、反応性求電子性基と反応性求核性基が、反応して、その結果、第１の種と第２の種の間に架橋が形成されるように適合している、医療デバイス。
【請求項２】
哺乳動物身体内に埋め込み可能であるように構成されている、請求項１に記載のデバイス。
【請求項３】
センサー、カメラ、バイタルサインモニター、薬物貯蔵デバイス、神経刺激器、超音波、シリコーンインプラント、生理食塩水インプラント、ヘルニアメッシュ、陰茎インプラント、整形外科用の棒材、プレート、ピン、もしくは釘、ペースメーカー、心臓弁、耳用チューブ、動脈瘤コイル、または眼内レンズである、請求項２に記載のデバイス。
【請求項４】
試験ストリップである、請求項１に記載のデバイス。
【請求項５】
哺乳動物身体内に挿入されるように構成された道具である、請求項１に記載のデバイス。
【請求項６】
カテーテル、トロカール、内視鏡、または腹腔鏡である、請求項５に記載のデバイス。
【請求項７】
哺乳動物身体上で外面的に使用されるように構成されている、請求項１に記載のデバイス。
【請求項８】
包帯、創傷被覆材、外界センサー、補聴器、または人工皮膚としての用途向けに構成されている、請求項７に記載のデバイス。
【請求項９】
デバイスの外表面が、ガラス、プラスチック、チタン、ニチノール、ポリエチレン、ポリプロピレン、ポリ塩化ビニル、ポリテトラフルオロエチレン（ｐｏｌｙｔｅｔｒａｆｌｏｕｒｏｅｔｈｙｌｅｎｅ）、ポリジメチルシロキサン、ポリエチレンテレフタレート、ポリアミド、ポリエーテルウレタン、ポリエーテルウレタン尿素、ポリスチレン、ポリカーボネート、ポリスルホン、ポリメタクリル酸メチル、ポリ２−ヒドロキシエチルメタクリレート、ポリビニルアルコール、ポリグリコール酸、ポリカプロラクトン、ポリ乳酸、ポリオルトエステル、酢酸セルロース、コラーゲン、または絹のうちの１つまたは複数を含む、請求項１から８までのいずれか１項に記載のデバイス。
【請求項１０】
反応性求電子性基が、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、請求項１から９までのいずれか１項に記載のデバイス。
【請求項１１】
反応性求核性基が、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、請求項１から９までのいずれか１項に記載のデバイス。
【請求項１２】
第１の種の反応性求電子性基または第２の種の反応性求電子性基の少なくとも一方が、デバイスの外表面に共有結合によって連結している、請求項１から９までのいずれか１項に記載のデバイス。
【請求項１３】
ヒドロゲル層またはヒドロゲル層およびデバイスが、実質的に光学的に透明である、請求項１から１２までのいずれか１項に記載のデバイス。
【請求項１４】
ヒドロゲル層が、生物学的分子、グルコース、溶質、ポリマー、薬物の拡散を可能にするように適合している、請求項１から１３までのいずれか１項に記載のデバイス。
【請求項１５】
ヒドロゲル層が約１００ｎｍ未満の厚さを占める、請求項１から１４までのいずれか１項に記載のデバイス。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
それを必要とする患者の、顎先の領域、顎の輪郭または鼻の、皮下または骨膜上に埋植可能な無菌の組成物であって、
組成物が１，４−ブタンジオールジグリシジルエーテル（ＢＤＤＥ）で架橋された架橋ヒアルロン酸（ＨＡ）を含み、
組成物のＨＡ濃度が２０ｍｇ／ｇを超え、
架橋に用いるＨＡが低分子量ヒアルロン酸と高分子量ヒアルロン酸の混合物から作られており、
架橋に用いるＨＡが、ＨＡの全質量に対して少なくとも５０質量％の低分子量ＨＡを含む混合物であり、
組成物が５Ｈｚにおいて約５００Ｐａ〜約９００Ｐａの弾性率を有し、
組成物が６０ｇｍｆを超える凝集性を有し、
組成物が１ｍＬのＣＯＣシリンジおよび２７Ｇ×１３ｍｍの針を用いて１３ｍｍ／分で約４Ｎ〜約１５Ｎの押出し力を示す、組成物。
【請求項２】
ＨＡ濃度が約２２．５ｍｇ／ｇ、約２５ｍｇ／ｇまたは約２７．５ｍｇ／ｇである、請求項１記載の組成物。
【請求項３】
架橋に用いるＨＡが、ＨＡの全質量に対して少なくとも７０質量％の低分子量ＨＡ、好ましくは少なくとも９０質量％の低分子量ＨＡを含む混合物である、請求項１から２までのいずれか１項に記載の組成物。
【請求項４】
(i) 凝集性が約６０ｇｍｆ〜約２００ｇｍｆ、または約６０ｇｍｆ〜約１００ｇｍｆであり、
(ii) 押出し力が、１ｍＬのＣＯＣシリンジおよび２７Ｇ×１３ｍｍの針を用いて、１３ｍｍ／分で約７Ｎ〜約１２Ｎまたは約８Ｎ〜約１０Ｎである、請求項１から３までのいずれか１項に記載の組成物。
【請求項５】
麻酔剤、好ましくはリドカイン塩酸塩をさらに含む、請求項１から４までのいずれか１項に記載の組成物。
【請求項６】
リドカイン塩酸塩を、組成物の全質量に対して約０．３質量％の量で含む、請求項５に記載の組成物。
【請求項７】
ＨＡが約４％〜約１０％、約４％、約６％、約８％、約１０％または約６．５％の架橋度を有する、請求項１から６までのいずれか１項に記載の組成物。
【請求項８】
組成物が、適量１ｍＬのｐＨ７．２のリン酸塩緩衝液中に約２５ｍｇの架橋ＨＡおよび３ｍｇのリドカインを含み、架橋ＨＡが好ましくは約６．５％の架橋度を有する、請求項１から７までのいずれか１項に記載の組成物。
【請求項９】
患者における顎先の後退を補正する非治療的方法であって、
患者の顔面の少なくとも１つの処置領域の骨膜上にＢＤＤＥで架橋したヒアルロン酸（ＨＡ）を含む有効量の組成物を投与するステップであって、ＨＡが約６．５％の架橋度および２０ｍｇ／ｇを超えるＨＡ濃度を有し、架橋に用いるＨＡがＨＡの全質量に対して少なくとも５０質量％の低分子量ＨＡを含む混合物であり、処置領域が下顎点、頤、左前顎溝、右前顎溝、および唇の下にあるしわからなる群から選択されるステップを含む、非治療的方法。
【請求項１０】
投与するステップの前、患者が、患者のデジタルイメージから誘導される顔面角度の計算に基づいて約１６５°未満のＧ−Ｓｎ−Ｐｏｇ角度を有する、請求項９に記載の方法。
【請求項１１】
組成物のＨＡ濃度が約２５ｍｇ／ｇであり、
組成物の架橋に用いるＨＡが、ＨＡの全質量に対して約９０質量％の低分子量ヒアルロン酸および約１０質量％の高分子量ヒアルロン酸から作られており、
組成物が５Ｈｚにおいて約５００Ｐａ〜約８００Ｐａの弾性率を有し、
組成物が約６０ｇｍｆ〜１００ｇｍｆの凝集性を有し、
組成物が１ｍＬのＣＯＣシリンジおよび２７Ｇ×１３ｍｍの針を用いて１３ｍｍ／分で約８Ｎ〜約１０Ｎの押出し力を有する、請求項９から１０までのいずれか１項に記載の方法。
【請求項１２】
患者の顎先または顎に容積を形成または修復する非治療的方法であって、
それを必要とする患者の、顎先の領域または顎の輪郭の、皮下または骨膜上に無菌の組成物を注入するステップであって、
組成物が１，４−ブタンジオールジグリシジルエーテル（ＢＤＤＥ）で架橋された架橋ヒアルロン酸（ＨＡ）を含み、
架橋に用いるＨＡが、ＨＡの全質量に対して少なくとも５０質量％の低分子量ＨＡを含む混合物であり、
組成物が５Ｈｚにおいて約５００Ｐａ〜約８００Ｐａの弾性率を有し、
組成物が約６０ｇｍｆ〜約１００ｇｍｆの凝集性を有するステップを含み、
方法が、患者の顎先または顎の輪郭に組成物を注入した後、約９か月〜約２４か月の範囲の期間、患者の顎先または顎の輪郭に容積を付加する、非治療的方法。
【請求項１３】
組成物が１ｍＬのＣＯＣシリンジおよび２７Ｇ×１３ｍｍの針を用いて１３ｍｍ／分で約８Ｎ〜約１０Ｎの押出し力を有する、請求項１２に記載の方法。
【請求項１４】
ＨＡが約４％〜約１２％、約６％、約６．５％、約８％、約８．５％、または約１０％または約１０．５％の架橋度を有する、請求項１２から１３までのいずれか１項に記載の方法。
【請求項１５】
１ｍＬのＣＯＣシリンジ等の使い捨てシリンジ中に予め充填された請求項１から８までのいずれか１項に記載の組成物および２７Ｇ×１３ｍｍの針等の少なくとも１つの使い捨て針を含むキット。
【請求項１６】
患者の顎先および顎の領域において容積を拡張し、補正し、修復し、または形成するため等の顔面造形の非治療的方法であって、
請求項１から８までのいずれか１項に記載の組成物を注入することによって、患者の顔面の少なくとも１つの処置領域の皮下および／または骨膜上に有効量の組成物を投与するステップを含み、
投与が完了した後に、患者の顔面の処置領域をマッサージして、製品が周囲組織の輪郭に一致していることを確認するステップを含んでもよく、
組成物を投与する前に、処置領域を消毒するステップを含んでもよく、
好ましくは処置領域が下顎点、頤、左前顎溝、右前顎溝、および唇の下にある（頤の）しわからなる群から選択される、非治療的方法。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
指に加えられる圧力の解除の際に前記指に対して毛細血管再充満時間を測定するように動作する毛細血管再充満時間測定装置であって、前記毛細血管再充満時間測定装置は、
カメラと、表示コンポーネントと、環境光から前記指をシールドするために前記カメラにクリップされるカフと、
前記毛細血管再充満時間を含む時間間隔に渡って前記指からの光信号を測定するように前記カメラを操作し、
前記測定される光信号の解析に基づいて毛細血管再充満時間値を決定し、
前記決定される毛細血管再充満時間値を前記表示コンポーネント上に表示する
ことを含む操作によって毛細血管再充満時間測定を実行するようにプログラムされる電子プロセッサとを含む、モバイル又はウエラブルデバイス
を有し、
前記カフは、前記被験体の指に標準圧力を加えるための一つ又はそれより多くのビルトインサーボモータを含むリジッド又は膨張式カフであり、前記一つ又はそれより多くのビルトインサーボモータは、前記電子プロセッサによって制御される、
毛細血管再充満時間測定装置。
【請求項２】
前記モバイル又はウエラブルデバイスは、携帯電話又は光学ヘッドマウントディスプレイの一つである、請求項１に記載の毛細血管再充満時間測定装置。
【請求項３】
前記モバイル又はウエラブルデバイスは、前記カメラから横方向にオフセットされるカメラ光源を含み、前記カメラを操作することは、前記毛細血管再充満時間を含む少なくとも前記時間間隔の間に前記指を照光するように前記カメラ光源を操作することを含む、請求項１乃至２の何れか一項に記載の毛細血管再充満時間測定装置。
【請求項４】
前記カメラを操作することは、前記指のビデオ又は静止画像の時間シーケンスを収集するように前記カメラ光源を操作することを含み、前記決定は、前記収集されるビデオ又は静止画像の時間シーケンスに基づいて前記毛細血管再充満時間値を決定することを含む、請求項１乃至３の何れか一項に記載の毛細血管再充満時間測定装置。
【請求項５】
前記電子プロセッサは、前記毛細血管再充満時間測定を実行するように、一体型毛細血管再充満時間アプリケーションによってプログラムされる、請求項１乃至４の何れか一項に記載の毛細血管再充満時間測定装置。
【請求項６】
前記測定される光信号の解析に基づいて前記毛細血管再充満時間値を決定する前記操作は、前記臨床医によって提供される指示の１つによって前記毛細血管再充満時間間隔の始めを特定することを含む、請求項１乃至５の何れか一項に記載の毛細血管再充満時間測定装置。
【請求項７】
前記測定される光信号の解析に基づいて前記毛細血管再充満時間値を決定する前記操作は、前記毛細血管再充満時間を計算するために信号歪を検出するように前記カメラを操作する前記操作によって生成されるカメラ画像ストリームの赤及び／又は緑及び／又は青のコンポーネントを使用する、請求項１乃至５の何れか一項に記載の毛細血管再充満時間測定装置。
【請求項８】
毛細血管再充満時間を測定する方法であって、前記方法は、
モバイル又はウエラブルデバイス上の一体型アプリケーションを開始するステップ
を有し、前記一体型アプリケーションは、
前記モバイル又はウエラブルデバイスのカメラを使って被験体の指を検出し、
前記被験体の指を圧迫又は圧搾し、それから前記被験体の指上の圧力を解除するように臨床医を促し、
前記モバイル又はウエラブルデバイスの前記カメラを使って前記被験体の指からの光信号を測定し、
前記測定される光信号の解析に基づいて前記毛細血管再充満時間を計算し、
前記モバイル又はウエラブルデバイスの表示コンポーネント上で前記毛細血管再充満時間を前記臨床医に表示する
ように前記モバイル又はウエラブルデバイスをプログラムする、方法。
【請求項９】
前記一体型アプリケーションは、前記患者の指における色変化を決定するために前記カメラ画像ストリームの赤、緑、青コンポーネントの少なくとも１つを使う、請求項８に記載の方法。
【請求項１０】
前記モバイルデバイスは、前記カメラから横方向にオフセットされるカメラ光源を含み、前記カメラを使う前記被験体の指からの前記光信号の前記測定は、前記カメラ光源を使う前記測定の間、前記被験体の指を照光することを更に含む、請求項８乃至９の何れか一項に記載の方法。
【請求項１１】
前記一体型アプリケーションは、特定の力量で前記患者の指を押すように、少なくとも一つの一体型サーボモータでリジッドカフを制御するように構成される、請求項８乃至１０の何れか一項に記載の方法。
【請求項１２】
前記一体型アプリケーションは、特定の力量で前記患者の指を押すように、膨張式カフを制御するように構成される、請求項８乃至１１の何れか一項に記載の方法。
【請求項１３】
前記光信号は、前記カメラを使って前記被験体の指のビデオ画像又は静止画像を収集することによって測定され、前記毛細血管再充満時間は前記被験体の指の前記ビデオ画像又は静止画像を解析し、前記被験体の指が、圧搾された後、そのベースライン色に戻るまで経過した時間の量として前記毛細血管再充満時間を計算することによって計算される、請求項８乃至１２の何れか一項に記載の方法。
【請求項１４】
前記一体型アプリケーションは前記毛細血管再充満時間データを、「非常に低い」、「低い」、「普通」、「高い」、又は「非常に高い」として分類グループに分類する、請求項８乃至１３の何れか一項に記載の方法。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
除細動システムが１つ又はそれよりも多くの電気ショックを患者に給送する間に救助者がハンズオンＣＰＲ操作を実行している間に前記救助者と前記患者との間のインピーダンスを測定するステップであって、
前記除細動システムは、
前記患者の少なくとも一部分の上を覆うように構成され且つ前記救助者と前記患者との間に配置される電気絶縁体と、
前記患者に電気ショックを給送するよう第１の電力ケーブルを通じて電源と電気連通する第１のパッドであって、前記患者と電気連通する、第１のパッドと、
前記患者に前記電気ショックを給送するよう第２の電力ケーブルを通じて前記電源と電気連通する第２のパッドであって、前記患者と電気連通する、第２のパッドと、
前記患者にショック電圧を印加する前記電源とを含む、
ステップと、
前記救助者が前記ハンズオンＣＰＲ操作を実行している間に前記救助者と前記患者との間の低インピーダンス状態を検出するステップと、
前記低インピーダンス状態を検出することに応答してインジケータをアクティブ化させることを含む、
コンピュータで実施される方法。
【請求項２】
前記低インピーダンス状態がクリアされたか否かを決定することを更に含む、請求項１に記載のコンピュータで実施される方法。
【請求項３】
前記低インピーダンス状態がクリアされたという決定に応答して、前記インジケータをクリアすることを含む、請求項２に記載のコンピュータで実施される方法。
【請求項４】
インピーダンスの測定を開始することが、複数の周波数で試験電圧を伝えることを含む、請求項１に記載のコンピュータで実施される方法。
【請求項５】
１つ又はそれよりも多くの周波数で測定されるインピーダンスが閾値よりも下であることを決定するステップと、
出力を提供して前記インジケータをアクティブ化させるステップとを更に含む、
請求項４に記載のコンピュータで実施される方法。
【請求項６】
前記電源が前記ショック電圧を印加するのを防止するために前記出力を提供してインターロックをアクティブ化させるステップを更に含む、請求項５に記載のコンピュータで実施される方法。
【請求項７】
前記インジケータは、光又は音である、請求項１に記載のコンピュータで実施される方法。
【請求項８】
前記インジケータは、前記患者への電気ショックの給送を防止する、電源への電気信号である、請求項１に記載のコンピュータで実施される方法。
【請求項９】
前記救助者と前記患者との間のインピーダンスを測定するステップは、前記電気絶縁体の頂面にあるインピーダンス入力場所と前記患者にある第２のインピーダンス入力場所との間のインピーダンスを測定することを含む、請求項１に記載のコンピュータで実施される方法。
【請求項１０】
少なくとも１つのプロセッサと、
コンピュータ可読記憶媒体とを含む、
装置であって、
前記コンピュータ可読記憶媒体は、その上に格納される命令を有し、前記命令は、前記プロセッサによって実行可能であり、前記命令は、前記プロセッサによって実行されるときに、当該装置に、
除細動システムが１つ又はそれよりも多くの電気ショックを患者に給送する間に救助者がハンズオンＣＰＲ操作を実行している間に前記救助者と前記患者との間のインピーダンスを測定させ、
低インピーダンス状態を検出することに応答してインジケータをアクティブ化させ、
前記除細動システムは、
前記患者の少なくとも一部分の上を覆うように構成され且つ前記救助者と前記患者との間に配置される電気絶縁体と、
前記患者に電気ショックを給送するよう第１の電力ケーブルを通じて電源と電気連通する第１のパッドであって、前記患者と電気連通する、第１のパッドと、
前記患者に前記電気ショックを給送するよう第２の電力ケーブルを通じて前記電源と電気連通する第２のパッドであって、前記患者と電気連通する、第２のパッドと、
前記患者にショック電圧を印加する前記電源とを含む、
装置。
【請求項１１】
前記コンピュータ可読記憶媒体は、前記低インピーダンス状態がクリアされたか否かを決定する命令を更に含む、請求項１０に記載の装置。
【請求項１２】
前記コンピュータ可読記憶媒体は、前記低インピーダンス状態がクリアされたという決定に応答して前記インジケータをクリアする更なる命令を含む、請求項１１に記載の装置。
【請求項１３】
前記コンピュータ可読記憶媒体は、複数の周波数で試験電圧を伝えて、インピーダンス測定を開始する、更なる命令を含む、請求項１０に記載の装置。
【請求項１４】
前記インジケータは、光又は音である、請求項１０に記載の装置。
【請求項１５】
前記インジケータは、患者への電気ショックの給送を防止する、電源への電気信号である、請求項１０に記載の装置。
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
前記少なくとも１つのプロセッサと通信する注入ポンプと、
関連する患者から生理的信号を受信するように動作可能な複数の生理的モニタと
を備え、前記少なくとも１つのプロセッサは、
前記関連する患者への輸液負荷試験を投与する前記注入ポンプから、前記関連する患者への前記輸液負荷試験の投与中の前記注入ポンプによる輸液の注入に対応するタイミング信号を受信し、
前記輸液負荷試験中に、前記関連する患者から取得された生理的信号を、前記注入ポンプの前記タイミング信号と同期させ、
同期された前記生理的信号から１つ又は複数の動的指標及び／又は特徴を計算し、
同期された前記生理的信号からの前記１つ又は複数の動的指標及び／又は特徴に応じて、前記患者の輸液反応性確率値を判定するようにプログラムされる、
輸液反応性を評価するためのシステム。
【請求項２】
前記少なくとも１つのプロセッサがさらに、前記患者が輸液蘇生に反応しないことを示す前記輸液反応性確率値に応じて、前記注入ポンプの動作を終了するようにプログラムされる、請求項１に記載のシステム。
【請求項３】
前記少なくとも１つのプロセッサがさらに、
前記輸液負荷試験の投与の前に前記患者から取得された基準生理的信号から前記１つ又は複数の動的指標及び／又は特徴を計算し、
同期された前記生理的信号からの前記１つ又は複数の動的指標及び／又は特徴と、前記基準生理的信号からの前記１つ又は複数の動的指標及び／又は特徴とに応じた前記患者の前記輸液反応性確率値を判定するようにプログラムされる、請求項１又は２に記載のシステム。
【請求項４】
前記輸液反応性確率値を判定することは、同期された前記生理的信号からの前記１つ又は複数の動的指標及び／又は特徴と、基準生理的信号からの前記１つ又は複数の動的指標及び／又は特徴とを、分類アルゴリズムに入力することをさらに含む、請求項１乃至３のいずれか一項に記載のシステム。
【請求項５】
前記輸液反応性確率値は、無反応性を示す０と、反応することを示す１との間である、請求項１乃至４のいずれか一項に記載のシステム。
【請求項６】
前記少なくとも１つのプロセッサがさらに、判定された前記輸液反応性確率値を、事前に選択された閾値と比較するようにプログラムされ、前記輸液反応性確率値が前記閾値以上であるとき、前記関連する患者は輸液蘇生に反応する、請求項５に記載のシステム。
【請求項７】
前記少なくとも１つのプロセッサは、同期された前記生理的信号からの前記１つ又は複数の動的指標及び／又は特徴と、基準生理的信号からの前記１つ又は複数の動的指標及び／又は特徴とを、前記関連する患者の呼吸サイクルの呼息部分の間に計算するようにプログラムされる、請求項１乃至６のいずれか一項に記載のシステム。
【請求項８】
前記少なくとも１つのプロセッサは、判定された前記輸液反応性確率値が前記関連する患者が輸液蘇生に反応しないことを示すのに応答して、警告を生成するようにプログラムされる、請求項１乃至７のいずれか一項に記載のシステム。
【請求項９】
前記注入ポンプは、前記生理的信号と同期され前記関連する患者の呼吸サイクルの呼息部分の間に輸液を注入する急速注入ポンプである、請求項１乃至８のいずれか一項に記載のシステム。
【請求項１０】
前記複数の生理的モニタが、カプノグラフィーモニタ、動脈血圧（ＡＢＰ）モニタ、心電図（ＥＣＧ）モニタ、プレチスモグラフ（ＰＰＧ）モニタ、の１つ又は複数を含む、請求項１乃至９のいずれか一項に記載のシステム。
【請求項１１】
前記動的指標及び／又は特徴が、脈圧変動（ＰＰＶ）、一回拍出量変動（ＳＶＶ）、収縮期圧変動（ＳＰＶ）、ＲＲ変動（ＲＲＶ）、及び脈波変動指標（ＰＶＩ）、の少なくとも１つを含む、請求項１乃至１０のいずれか一項に記載のシステム。
【請求項１２】
前記動的指標及び／又は特徴が、ボリューム測定カプノグラフィー、カプノグラフィーから導出される呼吸終末ＣＯ２、及びＡＢＰから導出される心拍出量、の少なくとも１つを含む、請求項１１に記載のシステム。
【請求項１３】
前記輸液負荷試験が少量輸液負荷試験である、請求項１乃至１２のいずれか一項に記載のシステム。
【請求項１４】
コンピュータ及びディスプレイを制御して、
関連する患者の複数の生理的モニタから複数の生理的信号を受信し、
前記関連する患者に投与される輸液負荷試験との関連で、関連する注入ポンプによる輸液の注入に対応する注入ポンプのタイミング信号を受信し、
前記タイミング信号を受信された前記生理的信号と同期させて、同期された生理的信号を生成し、
同期された輸液負荷試験生理的信号から複数の動的指標及び／又は特徴の少なくとも１つを計算し、
前記関連する患者の輸液蘇生に対する反応性を示す輸液反応性確率値を計算するために実行可能な命令を記憶した、
コンピュータ媒体。
【請求項１５】
関連する患者の複数の生理的モニタから複数の生理的信号を受信し、
前記関連する患者に投与される輸液負荷試験との関連で、関連する注入ポンプによる輸液の注入に対応する注入ポンプのタイミング信号を受信し、
前記タイミング信号を受信された前記生理的信号と同期させて、同期された生理的信号を生成し、
同期された輸液負荷試験生理的信号から複数の動的指標及び／又は特徴の少なくとも１つを計算し、
前記関連する患者の輸液蘇生に対する反応性を示す輸液反応性確率値を計算するようにプログラムされたプロセッサを備える、
輸液蘇生に対する関連する患者の反応性を評価するためのシステム。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
ヒトＦｃＲｎに結合する単離された抗体であって、以下を含む、単離された抗体：
（１）ＣＤＲ  Ｌ１、ＣＤＲ  Ｌ２、およびＣＤＲ  Ｌ３を含む軽鎖可変領域、ならびに
（２）ＣＤＲ  Ｈ１、ＣＤＲ  Ｈ２、およびＣＤＲ  Ｈ３を含む重鎖可変領域
（ここでは、
前記ＣＤＲ  Ｌ１は、ＴＧＴＧＳＤＶＧＳＹＮＬＶＳ（配列番号１）の配列と比較して２つ以下のアミノ酸置換を有する配列を有し、
前記ＣＤＲ  Ｌ２は、ＧＤＳＥＲＰＳ（配列番号２）の配列と比較して１つ以下のアミノ酸置換を有する配列を有し、
前記ＣＤＲ  Ｌ３は、ＳＳＹＡＧＳＧＩＹＶ（配列番号３）の配列と比較して１つ以下のアミノ酸置換を有する配列を有し、
前記ＣＤＲ  Ｈ１は、ＴＹＡＭＧ（配列番号４）、ＤＹＡＭＧ（配列番号５）、またはＮＹＡＭＧ（配列番号６）の配列と比較して１つ以下のアミノ酸置換を有する配列を有し、
前記ＣＤＲ  Ｈ２は、ＳＩＧＳＳＧＡＱＴＲＹＡＤＳ（配列番号７）、ＳＩＧＡＳＧＳＱＴＲＹＡＤＳ（配列番号８）、ＳＩＧＡＳＧＡＱＴＲＹＡＤＳ（配列番号９）、またはＳＩＧＡＳＧＧＱＴＲＹＡＤＳ（配列番号１０）の配列と比較して２つ以下のアミノ酸置換を有する配列を有し、
前記ＣＤＲ  Ｈ３は、ＬＡＩＧＤＳＹ（配列番号１１）の配列と比較して１つ以下のアミノ酸置換を有する配列を有する）。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
クローン病(CD)の活動性を、それを患っている対象において決定するためのインビトロの方法であって、
a)前記対象から便サンプルを得る工程、
b)前記サンプル中の宿主DNAの相対的存在量を決定する工程、
及び、
c)前記相対的存在量が、好ましくは約10％である参照値よりも高い場合、前記対象が不安定状態のクローン病を有すると決定する工程
を含む方法。
【請求項２】
d)前記サンプル中又は前記対象からの別の生物学的サンプル中のカルプロテクチンレベルを決定する工程、
並びに、
e)前記カルプロテクチンレベルが150μg/mL又は250μg/gよりも大きい場合、前記対象が不安定状態のクロ―ン病を有すると決定する工程
をさらに含む、請求項１に記載の方法。
【請求項３】
a)前記対象から便サンプルを得る工程、
b)前記サンプル中の宿主DNAの相対的存在量を決定する工程、
c)前記サンプル中又は前記対象からの別の生物学的サンプル中のカルプロテクチン遺伝子レベルを決定する工程、
並びに、
d)前記相対的存在量が、好ましくは約10％である第1の参照値よりも大きい場合、及び前記カルプロテクチン遺伝子レベルが第2の参照値よりも大きい場合、前記対象が不安定状態のクローン病を有すると決定する工程
を含む、請求項１に記載の方法。
【請求項４】
CDを患っている対象において処置の効率を試験するため、又は処置に対する患者の応答を評価するためのインビトロの方法であって、以下の工程:
1)請求項1から3のいずれか一項に記載の方法に従って、好ましくは請求項1に記載の方法に従って、処置の投与前及び後にCDの活動性を決定する工程、
並びに
ii)処置の投与前の状態が不安定であったが、処置の投与を行うと安定となる場合、前記対象において処置が効率的であると結論する工程
を含む方法。
【請求項５】
対象においてクローン病(CD)を検出するためのインビトロの方法であって、
a)前記対象から便サンプルを得る工程、
b)前記サンプル中の宿主DNAの相対的存在量を決定する工程、
及び、
c)前記相対的存在量が好ましくは約1％である参照値よりも高い場合、前記対象がクローン病を患っていると決定する工程
を含む方法。
【請求項６】
前記対象が、クローン病を患っていることが疑われる、請求項5に記載の方法。
【請求項７】
d)前記サンプル中又は前記対象からの別の生物学的サンプル中のカルプロテクチンレベルを決定する工程、
並びに、
e)前記相対的存在量が参照値よりも高い場合、及び前記カルプロテクチンレベルが150μg/mLよりも大きい場合、前記対象がクローン病を患っていると決定する工程
をさらに含む、請求項5又は6に記載の方法。
【請求項８】
前記参照値が、約1%の値である、請求項7に記載の方法。
【請求項９】
d)前記サンプル中又は前記対象からの別の生物学的サンプル中のカルプロテクチン遺伝子レベルを決定する工程、
並びに、
e)前記相対的存在量が第1の参照値よりも高い場合、及び前記カルプロテクチン遺伝子レベルが第2の参照値よりも高い場合、前記対象がクローン病を患っていると決定する工程
をさらに含む、請求項5又は6に記載の方法。
【請求項１０】
前記相対的存在量の参照値が、約1%の値である、請求項9に記載の方法。
【請求項１１】
前記相対的存在量が、前記サンプル中に存在するDNAの総量に対する宿主DNAの相対量である、請求項1から10のいずれか一項に記載の方法。
【請求項１２】
前記対象がヒト患者である、請求項1から11のいずれか一項に記載の方法。
【請求項１３】
前記存在量が、定量的PCRによって測定される、請求項1から12のいずれか一項に記載の方法。
【請求項１４】
前記存在量が、配列番号1〜配列番号6の配列、それらの変異体及びそれらの相補的配列からなる核酸断片の群から選択される少なくとも1つの核酸断片を使用することによって測定され、前記変異体が前記核酸断片に対して少なくとも99％同一である、請求項13に記載の方法。
【請求項１５】
請求項1から14のいずれか一項に記載の任意の方法における使用のためのキットであって、
a)宿主DNAと特異的にハイブリダイズする、少なくとも1つの核酸断片であって、配列番号1、配列番号3、配列番号4及び配列番号5の配列、それらの変異体及びそれらの相補的配列からなる核酸断片の群から選択され、前記変異体が前記核酸断片と少なくとも99％同一である核酸断片;並びに
b)前記方法を実行するための指示
を含むキット。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
TNFと結合できる腫瘍壊死因子受容体（TNFR）ポリペプチド又は当該ポリペプチドのTNF結合フラグメントであって、当該ポリペプチドが、配列番号:1のアミノ酸配列又は最適なアラインメント後に前記アミノ酸配列と少なくとも60%同一性を有するアミノ酸配列を含み、さらに当該ポリペプチド又はそのTNF結合フラグメントがN-末端VPAQVモチーフを含むが、ただし当該ポリペプチドはマウスTNFR p80ではないことを条件とする、前記ポリペプチド又はそのTNF結合フラグメント。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
アルギニンレギュロンを含む遺伝子操作した細菌であって、
前記細菌は、アルギニンフィードバック耐性Ｎ−アセチルグルタミン酸シンセターゼ（ＡｒｇＡｆｂｒ）をコードする遺伝子を含み、ＡｒｇＡｆｂｒは、同一条件下の同じ細菌サブタイプに由来する野生型Ｎ−アセチルグルタミン酸シンセターゼと比較し、アルギニンフィードバック阻害が低減しており、ＡｒｇＡｆｂｒをコードする前記遺伝子の発現は、低酸素または嫌気的な条件により誘導されるプロモータにより制御され、
前記細菌は機能性ＡｒｇＲを欠くように遺伝子操作されている、細菌。
【請求項２】
対応する野生型細菌に通常存在する機能性ａｒｇＲ遺伝子の各コピーが削除されている、請求項１に記載の細菌。
【請求項３】
対応する野生型細菌に通常存在する機能性ａｒｇＧ遺伝子の各コピーが個別に削除されているか、または、１つもしくは複数のヌクレオチドの削除、挿入、もしくは置換により不活性になっている、請求項１に記載の細菌。
【請求項４】
対応する野生型細菌に通常存在する機能性ａｒｇＧ遺伝子の各コピーが削除されている、請求項３に記載の細菌。
【請求項５】
低酸素または嫌気的な条件下で、機能性ＡＲＧボックスを含むオペロン中に存在し、アルギニン生合成酵素をコードする各遺伝子の転写が、同一条件下の野生型細菌の対応する遺伝子と比較し増加する、請求項１に記載の細菌。
【請求項６】
低酸素または嫌気的な条件下で誘導される前記プロモータはＦＮＲプロモータである、請求項１に記載の細菌。
【請求項７】
請求項１に記載の細菌であって、前記アルギニンフィードバック耐性Ｎ−アセチルグルタミン酸シンセターゼ遺伝子は、
ａ）配列番号２８、および
ｂ）遺伝子コードの冗長性を別とすれば配列番号２８にコードされているのと同じポリペプチドをコードするＤＮＡ配列から選択されるＤＮＡ配列を有する、細菌。
【請求項８】
非病原性細菌である、請求項１に記載の細菌。
【請求項９】
プロバイオティクス細菌である、請求項１に記載の細菌。
【請求項１０】
バクテロイデス、ビフィドバクテリウム、クロストリジウム、エシェリキア、ラクトバチルス、およびラクトコッカスからなる群から選択される、請求項１に記載の細菌。
【請求項１１】
大腸菌株Ｎｉｓｓｌｅである、請求項１に記載の細菌。
【請求項１２】
前記アルギニンフィードバック耐性Ｎ−アセチルグルタミン酸シンセターゼ（ＡｒｇＡｆｂｒ）をコードする遺伝子は、前記細菌のプラスミドに存在し、前記プラスミドにおいて、低酸素または嫌気的な条件下で誘導されるプロモータに操作可能に連結している、請求項１に記載の細菌。
【請求項１３】
前記アルギニンフィードバック耐性Ｎ−アセチルグルタミン酸シンセターゼ（ＡｒｇＡｆｂｒ）をコードする遺伝子は、細菌染色体に存在し、前記染色体において、低酸素または嫌気的な条件下で誘導されるプロモータに操作可能に連結している、請求項１に記載の細菌。
【請求項１４】
哺乳類の消化管に存在する場合に補完される遺伝子において栄養要求株である、請求項１に記載の細菌。
【請求項１５】
前記哺乳類の消化管はヒトの消化管である、請求項１４に記載の細菌。
【請求項１６】
前記細菌はｔｈｙＡまたはｄａｐＢの栄養要求株である、請求項１４に記載の細菌。
【請求項１７】
抗生物質耐性遺伝子を含む、請求項１に記載の細菌。
【請求項１８】
アルギニンレギュロンを含む遺伝子操作した細菌および薬学的に許容される担体を含む、薬学的に許容される組成物であって、前記細菌は、アルギニンフィードバック耐性Ｎ−アセチルグルタミン酸シンセターゼ（ＡｒｇＡｆｂｒ）をコードする遺伝子を含み、ＡｒｇＡｆｂｒは、同一条件下の同じ細菌サブタイプに由来する野生型Ｎ−アセチルグルタミン酸シンセターゼと比較し、アルギニンフィードバック阻害が低減しており、ＡｒｇＡｆｂｒをコードする前記遺伝子の発現は、低酸素または嫌気的な条件により誘導されるプロモータにより制御され、前記細菌は機能性ＡｒｇＲを欠くように遺伝子操作されている、薬学的に許容される組成物。
【請求項１９】
請求項１〜１５及び１７の何れか一項に記載の遺伝子操作した細菌または請求項１８に記載の薬学的に許容される組成物を含み、高アンモニア血症関連疾患またはその症状の処置を、それを必要とする対象で行うための医薬組成物。
【請求項２０】
前記高アンモニア血症関連疾患は尿素サイクル異常症である、請求項１９に記載の医薬組成物。
【請求項２１】
前記尿素サイクル異常症は、アルギニノコハク酸尿症、アルギナーゼ欠損症、カルバモイルリン酸シンセターゼ欠損症、シトルリン血症、Ｎ−アセチルグルタミン酸シンセターゼ欠損症、またはオルニチントランスカルバミラーゼ欠損症から選択される、請求項２０に記載の医薬組成物。
【請求項２２】
前記高アンモニア血症関連疾患は、肝性脳症、急性肝不全、または慢性肝不全から選択される肝疾患である、請求項１９に記載の医薬組成物。
【請求項２３】
前記高アンモニア血症関連疾患の症状は、脳卒中、運動失調、脳卒中様病変、昏睡、精神病、視力喪失、急性脳症、脳浮腫、ならびに嘔吐、呼吸性アルカローシス、および低体温からなる群から選択される、請求項１９に記載の医薬組成物。
【請求項２４】
投与は、経口投与または直腸投与である、請求項１９に記載の医薬組成物。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
使用者の口内の歯の上方歯列弓及び下方歯列弓のうちの少なくとも１つ又はそれよりも多くの上方歯列弓及び下方歯列弓の少なくとも前方部分の上に適合するように構成され、頬側垂直部材と、舌側垂直部材と、前記頬側垂直部材と前記舌側垂直部材との間に延びる咬合側水平部材とを有し、少なくとも１つの流体工学入口と、前記頬側垂直部材及び前記舌側垂直部材の両方にある複数のジェットオリフィスと、前記少なくとも１つの流体工学入口と前記ジェットオリフィスとの間に配置される少なくとも１つの流体工学路とを含む、少なくとも１つのマウスピース溝と、
該少なくとも１つのマウスピース溝の端領域に配置される複数の指向性ジェットオリフィスとを含む、
指向性ジェットマウスピースであって、
前記少なくとも１つの流体工学路は、前記少なくとも１つの流体工学入口と前記複数の指向性ジェットオリフィスとの間に更に配置され、前記複数の指向性ジェットオリフィスは、流体ジェットを、前記少なくとも１つのマウスピース溝の前記端領域を越えて、使用者の口内の歯の残部に向かって後方に方向付けるために構成される、
指向性ジェットマウスピース。
【請求項２】
更に、前記頬側ジェットオリフィスは、前記舌側垂直部材の方向に面し、前記舌側ジェットオリフィスは、前記頬側垂直部材の方向に面する、請求項１に記載の指向性ジェットマウスピース。
【請求項３】
前記少なくとも１つのマウスピース溝の前記端領域の各々は、少なくとも１つの垂直に配置されるプレナムを更に含み、前記複数の指向性ジェットオリフィスのうちの少なくとも１つは、前記少なくとも１つの垂直に配置されるプレナム内に配置される、請求項１に記載の指向性ジェットマウスピース。
【請求項４】
更に、前記少なくとも１つの垂直に配置されるプレナムは、前記少なくとも１つのマウスピース溝の前記頬側垂直部材及び前記舌側垂直部材の各端領域にある（ｉ）内向きの垂直に配置されるプレナム及び（ｉｉ）外向きの垂直に配置されるプレナムのうちの１つ又はそれよりも多くを含む、請求項３に記載の指向性ジェットマウスピース。
【請求項５】
前記咬合側水平部材は、その頂面と底面との間に延びるシェブロンを含む、請求項１に記載の指向性ジェットマウスピース。
【請求項６】
（ｉ）前記少なくとも１つの流体工学入口と（ｉｉ）前記ジェットオリフィス及び前記複数の指向性ジェットオリフィスとの間に配置される前記少なくとも１つの流体工学路は、頬脊柱部及び舌脊柱部のうちの少なくとも１つ又はそれよりも多くを含み、各々は、前記頬脊柱部及び前記舌脊柱部の各々に沿って水平に横切る主通路を含み、該水平に配置される主通路から垂直に延びる、該主通路よりも小さい断面の、二次通路を更に含む、請求項１に記載の指向性ジェットマウスピース。
【請求項７】
前記二次通路は、所定の水平距離だけ互いに離間し、各二次通路は、その平坦な内表面に配置されるジェットオリフィスを有する「Ｄ」形状の断面を含む、請求項６に記載の指向性ジェットマウスピース。
【請求項８】
前記平坦な内表面に配置される前記ジェットオリフィスは、少なくとも２つのジェットオリフィスを含む、請求項７に記載の指向性ジェットマウスピース。
【請求項９】
前記舌脊柱部は、使用者の口内の犬歯の位置に対応する位置と、使用者の口内の臼歯の舌側に対して傾斜させられる切歯の密接に一致する舌側との間に、垂直表面から傾斜表面への移行部を含む、補償ジオメトリを更に含む、請求項６に記載の指向性ジェットマウスピース。
【請求項１０】
前記頬脊柱部及び前記舌脊柱部の各々は、前記少なくとも１つの流体工学路と対応する主通路及び二次通路を備えるそれぞれの脊柱部を形成するよう互いに結合される、２つの半体を含む、請求項６に記載の指向性ジェットマウスピース。
【請求項１１】
前記少なくとも１つの流体工学入口は、前記少なくとも１つのマウスピース溝の前記頬側垂直部材内の少なくとも１つの流体工学路及び前記舌側垂直部材内の流体工学路にそれぞれ連結される、少なくとも１つの頬側流体工学入口及び舌側流体工学入口を含む、請求項１に記載の指向性ジェットマウスピース。
【請求項１２】
前記少なくとも１つのマウスピース溝は、前記頬側垂直部材及び前記舌側垂直部材の隣接する側のみで互いに水平に離間し且つ垂直に配置される、複数のジェット歯間スペーシングリブを更に含む、請求項１に記載の指向性ジェットマウスピース。
【請求項１３】
前記頬側垂直部材と前記舌側垂直部材との間に延びる前記咬合側水平部材は、エラストマのオーバーモールド材料を含み、
前記頬側垂直部材及び前記舌側垂直部材の選択的な外表面に配置されるエラストマのオーバーモールド材料を更に含む、
請求項１に記載の指向性ジェットマウスピース。
【請求項１４】
頬側真空サポート部材、舌側真空サポート部材、及び前記頬側真空サポート部材と前記舌側真空サポート部材との間に配置される貫通部材のうちの１つ又はそれよりも多くに配置される専用の真空ラインに連結される真空ポートを更に含み、前記貫通部材は、単一の貫通部材及び多数の貫通部材のうちの１つ又はそれよりも多くを含む、請求項１に記載の指向性ジェットマウスピース。